(57)【要約】【課題】少量の食材を効率的に加熱することを可能にするオーブントースター用調理容器を提供する。【解決手段】長辺と短辺とを有する食パンの長辺を奥行き方向に向かせた状態で２枚の食パンを並べて置くことができるサイズを有するオーブントースターに使用するオーブントースター用調理容器(100)であって、オーブントースター用調理容器(100)の奥行き方向における長さＹ及び奥行き方向と直交する方向における長さＸは以下のように設定される。  Ａ／２＜Ｙ≦Ａ  Ｂ＜Ｘ＜２Ｂ  Ａ：食パンの長辺の長さ  Ｂ：食パンの短辺の長さ【選択図】図１
0003178254.tif 000002
【実用新案登録請求の範囲】
【請求項１】
長辺と短辺とを有する食パンの前記長辺を奥行き方向に向かせた状態で２枚の食パンを並べて置くことができるサイズを有するオーブントースターに使用するオーブントースター用調理容器であって、
前記オーブントースター用調理容器の前記奥行き方向における長さＹ及び前記奥行き方向と直交する方向における長さＸは
Ａ／２＜Ｙ≦Ａ
Ｂ＜Ｘ＜２Ｂ
Ａ：前記食パンの長辺の長さ
Ｂ：前記食パンの短辺の長さ
であることを特徴とするオーブントースター用調理容器。
【請求項２】
前記奥行き方向における長さＹが１２０ｍｍ以下であることを特徴とする請求項１に記載のオーブントースター用調理容器。
【請求項３】
前記奥行き方向と直交する方向における長さＸが２２０ｍｍ以下であることを特徴とする請求項１または２に記載のオーブントースター用調理容器。
【考案の詳細な説明】
【技術分野】
【０００１】
本考案はオーブントースター専用の調理容器に関する。
【背景技術】
【０００２】
現在では、電気を熱に変換し、食材を加熱する電気加熱調理器（一般には「オーブントースター」と呼ばれているので、以後、この名称を使用する）が多くの家庭で使われている。
【０００３】
例えば、特開昭６３−１５０５２７号公報にオーブントースターの一例が記載されている。
【０００４】
図２は同公報に記載されているオーブントースター１０の斜視図である。
【０００５】
オーブントースター１０は、前方が開口しているオーブントースター本体１１と、オーブントースター本体１１の開口部の下縁を中心としてオーブントースター本体１１に対して開閉可能な扉１３と、オーブントースター本体１１の内部において上方に配置された上部ヒーター１５と、オーブントースター本体１１の内部において下方に配置された下部ヒーター１６と、加熱する食材を乗せる調理皿１２と、上部ヒーター１５と下部ヒーター１６との間に配置され、前後の方向に可動であり、調理皿１２を水平な状態で乗せるネット１４と、扉１３とネット１４とを動作的に連結する連結機構（図示せず）であって、扉１３が開いたときには、ネット１４を前方に移動させ、扉を閉めるときには、ネット１４を後方に（すなわち、オーブントースター本体１１の内部に）移動させる連結機構と、から構成されている。
【考案の開示】
【考案が解決しようとする課題】
【０００６】
図２に示したオーブントースター１０に限らず、従来のオーブントースターは、長辺と短辺とを有する食パンの長辺を奥行き方向に向かせた状態で２枚の食パンを横に並べて置くことができるサイズを有するものとして構成されている。このため、オーブントースター１０に付随している調理皿１２も、同様に、２枚の食パンを横に並べて置くことができるサイズを有している。
【０００７】
しかしながら、少量の食材（例えば、一人分の食材）をオーブントースター１０で加熱する場合に調理皿１２を用いると、調理皿１２のサイズが食材の量に比較して大きすぎるため、効率よく加熱することができないことがある。具体的には、少量の食材が調理皿１２の内部で拡散されるため、食材が過剰に加熱されることがある。
【０００８】
本考案はこのような従来のオーブントースター用調理皿における問題点に鑑みてなされたものであり、少量の食材を効率的に加熱することを可能にするオーブントースター用調理容器を提供することを目的とする。
【課題を解決するための手段】
【０００９】
この目的を達成するため、本考案は、長辺と短辺とを有する食パンの前記長辺を奥行き方向に向かせた状態で２枚の食パンを並べて置くことができるサイズを有するオーブントースターに使用するオーブントースター用調理容器であって、前記オーブントースター用調理容器の前記奥行き方向における長さＹ及び前記奥行き方向と直交する方向における長さＸは
Ａ／２＜Ｙ≦Ａ
Ｂ＜Ｘ＜２Ｂ
Ａ：前記食パンの長辺の長さ
Ｂ：前記食パンの短辺の長さ
であることを特徴とするオーブントースター用調理容器を提供する。
【００１０】
前記オーブントースター用調理容器の前記奥行き方向と直交する方向における長さＸが２４０ｍｍ以下であることが好ましい。
【００１１】
前記オーブントースター用調理容器の前記奥行き方向における長さＹが１４０ｍｍ以下であることが好ましい。
【考案の効果】
【００１２】
本考案に係るオーブントースター用調理容器によれば、長辺と短辺とを有する食パンの長辺を奥行き方向に向かせた状態で２枚の食パンを並べて置くことができるサイズを有するオーブントースターを用いる場合であっても、食パン２枚分よりも少量の食材を効率的に加熱することが可能になる。
【図面の簡単な説明】
【００１３】
【図１】図１（Ａ）は本考案の一実施形態に係るオーブントースター用調理容器の平面図、図１（Ｂ）は図１（Ａ）のＢ−Ｂ線における断面図である。
【図２】一般的なオーブントースターの斜視図である。
【考案を実施するための最良の形態】
【００１４】
図１（Ａ）は本考案の一実施形態に係るオーブントースター用調理容器１００の平面図、図１（Ｂ）は図１（Ａ）のＢ−Ｂ線における断面図である。
【００１５】
本実施形態に係るオーブントースター用調理容器１００の縦の長さ（オーブントースター１０の奥行き方向における長さ）をＹ、横の長さ（オーブントースター１０の奥行き方向と直交する方向における長さ）をＸとすると、Ｙは食パンの長辺の長さ以下であり、かつ、食パンの長辺の半分の長さよりも大きく設定されている。また、Ｘは食パンの短辺の長さより大きく、かつ、食パンの短辺の２倍の長さより小さく設定されている。
【００１６】
すなわち、
Ａ／２＜Ｙ≦Ａ      （ａ）
Ｂ＜Ｘ＜２Ｂ        （ｂ）
Ａ：食パンの長辺の長さ
Ｂ：食パンの短辺の長さ
【００１７】
また、本実施形態に係るオーブントースター用調理容器１００の高さＤは、例えば、６ｃｍに設定されている。
【００１８】
なお、長さＹ及びＸは何れもオーブントースター用調理容器１００の内壁間の長さである。
【００１９】
一般的な食パンのサイズとしては以下の２種類がある。
（１）縦１３０ｍｍ（長辺Ａ）×横１１５ｍｍ（短辺Ｂ）
（２）縦１２０ｍｍ（長辺Ａ）×横１２０ｍｍ（短辺Ｂ）
【００２０】
これら２種類の食パンの中で最も短い長辺は１２０ｍｍであるから、
Ｙ≦Ａ＝１２０
これら２種類の食パンの中で最も長い長辺は１３０ｍｍであるから、
Ａ／２＝６５＜Ｙ
【００２１】
このため、オーブントースター用調理容器１００の縦の長さＹは６５ｃｍより長く、かつ、１２０ｍｍ以下に設定されることが必要である。例えば、オーブントースター用調理容器１００の縦の長さＹは１２０ｍｍ以下に設定されている。
６５＜Ｙ≦１２０
【００２２】
また、これら２種類の食パンの中で最も短い短辺は１１５ｍｍであるから、
Ｘ＜２Ｂ＝２３０
これら２種類の食パンの中で最も長い短辺は１２０ｍｍであるから、
Ｂ＝１２０＜Ｘ
【００２３】
すなわち、オーブントースター用調理容器１００の横の長さＸは１２０ｍｍより長く、かつ、２３０ｍｍより短く設定されることが必要である。例えば、オーブントースター用調理容器１００の横の長さＸは２２０ｍｍに設定されている。
【００２４】
本実施形態に係るオーブントースター用調理容器１００によれば、２枚の食パンを横に並べることができるサイズを有するオーブントースターを用いる場合であっても、食パン２枚分よりも少量の食材を効率的に加熱することが可能になる。
【符号の説明】
【００２５】
１００  本考案の一実施形態に係るオーブントースター用調理容器
【図１】
0003178254.tif 000003
【図２】
0003178254.tif 000004